(57)【要約】【課題】同期信号によって生じる他機器への干渉を軽減すること。【解決手段】眼鏡２０は、開状態又は閉状態になる右眼用のシャッター２３Ｒと、開状態又は閉状態になる左眼用のシャッター２３Ｌと、シャッター同期信号を受信する同期信号受信部２１と、同期信号受信部２１がシャッター同期信号として第１信号を受信すると、シャッター２３Ｌを閉状態にするとともにシャッター２３Ｒを開状態にし、同期信号受信部２１がシャッター同期信号として第２信号を受信すると、シャッター２３Ｒを閉状態にするとともにシャッター２３Ｌを開状態にする制御部２２とを有する。【選択図】図４
2013070314.tif 000002
【特許請求の範囲】
【請求項１】
開状態又は閉状態になる右眼用の第１シャッターと、
開状態又は閉状態になる左眼用の第２シャッターと、
同期信号を受信する受信部と、
前記受信部が前記同期信号として第１信号を受信すると、前記第２シャッターを前記閉状態にするとともに前記第１シャッターを前記開状態にし、前記受信部が前記同期信号として第２信号を受信すると、前記第１シャッターを前記閉状態にするとともに前記第２シャッターを前記開状態にする制御部と
を有する立体視用眼鏡。
【請求項２】
前記制御部は、前記受信部が前記同期信号として第３信号を受信すると、前記第１シャッターを前記開状態にし、前記受信部が前記同期信号として第４信号を受信すると、前記第１シャッターを前記閉状態にし、前記受信部が前記同期信号として第５信号を受信すると、前記第２シャッターを前記開状態にし、前記受信部が前記同期信号として第６信号を受信すると、前記第２シャッターを前記閉状態にする
ことを特徴とする請求項１に記載の立体視用眼鏡。
【請求項３】
前記制御部は、前記第１信号に応じて、前記第２シャッターを前記閉状態に遷移させる動作を開始してから前記第１シャッターを前記開状態に遷移させる動作を開始するまでの遅延時間が第１時間である第１モードと、前記遅延時間が前記第１時間よりも長い第２時間である第２モードとを含む複数の動作モードの中から選択された一の動作モードで制御する
ことを特徴とする請求項１又は２に記載の立体視用眼鏡。
【請求項４】
前記遅延時間は、フレームレート毎に決められており、
前記第１信号及び前記第２信号は、前記フレームレート毎に定義されている
ことを特徴とする請求項３に記載の立体視用眼鏡。
【請求項５】
開状態又は閉状態になる右眼用の第１シャッターと、開状態又は閉状態になる左眼用の第２シャッターと、同期信号を受信する受信部と、を有する立体視用眼鏡とともに用いられる画像表示装置であって、
右眼用画像及び左眼用画像を時分割で表示する表示部と、
前記表示部により前記右眼用画像が表示されるタイミングに応じて、前記同期信号として、前記第２シャッターを前記閉状態にするとともに前記第１シャッターを前記開状態にするための第１信号を前記立体視用眼鏡に送信し、前記表示部により前記左眼用画像が表示されるタイミングに応じて、前記同期信号として、前記第１シャッターを前記閉状態にするとともに前記第２シャッターを前記開状態にするための第２信号を前記立体視用眼鏡に送信する送信部と
を有する画像表示装置。
【請求項６】
画像表示装置と、
立体視用眼鏡と
を有し、
前記画像表示装置は、
右眼用画像及び左眼用画像を時分割で表示する表示部と、
前記表示部により前記右眼用画像が表示されるタイミングに応じて、同期信号として第１信号を前記立体視用眼鏡に送信し、前記表示部により前記左眼用画像が表示されるタイミングに応じて、前記同期信号として第２信号を前記立体視用眼鏡に送信する送信部と
を有し、
前記立体視用眼鏡は、
開状態又は閉状態になる右眼用の第１シャッターと、
開状態又は閉状態になる左眼用の第２シャッターと、
前記同期信号を受信する受信部と、
前記受信部が前記同期信号として第１信号を受信すると、前記第２シャッターを前記閉状態にするとともに前記第１シャッターを前記開状態にし、前記受信部が前記同期信号として第２信号を受信すると、前記第１シャッターを前記閉状態にするとともに前記第２シャッターを前記開状態にする制御部と
を有する画像表示システム。
【請求項７】
画像表示装置が、右眼用画像及び左眼用画像を時分割で表示する工程と、
前記画像表示装置が、前記右眼用画像を表示するタイミングに応じて、同期信号として第１信号を立体視用眼鏡に送信し、前記左眼用画像を表示するタイミングに応じて、前記同期信号として第２信号を前記立体視用眼鏡に送信する工程と、
前記立体視用眼鏡が、前記同期信号を受信する工程と、
前記立体視用眼鏡が前記同期信号として前記第１信号を受信すると、第２シャッターを閉状態にするとともに第１シャッターを開状態にし、前記立体視用眼鏡が前記同期信号として前記第２信号を受信すると、前記第１シャッターを閉状態にするとともに前記第２シャッターを開状態にする工程と
を有する制御方法。
【発明の詳細な説明】
【技術分野】
【０００１】
本発明は、３Ｄ映像を立体的に見るための立体視用眼鏡に関する。
【背景技術】
【０００２】
３Ｄ映像を利用者に知覚させるシステムとして、液晶シャッターを有する眼鏡（以下「立体視用眼鏡」という。）を用いたシステムが知られている。このシステムにおいて、画像表示装置は、右眼用画像と左眼用画像とを交互に表示する。立体視用眼鏡においては、画像表示装置における画像の切り替えと同期して右眼のシャッターと左眼のシャッターの開閉が制御される。特許文献１には、立体視用眼鏡を制御するための同期信号として４種類の同期信号が用いられることが記載されている。
【先行技術文献】
【特許文献】
【０００３】
【特許文献１】特開２０１０−２６８４４９号公報
【発明の概要】
【発明が解決しようとする課題】
【０００４】
３Ｄ映像を視聴する利用者は、画像表示装置を操作するためにリモートコントロール装置を用いる場合がある。また、より臨場感あふれる視聴をするためにヘッドホンを装着する場合もある。リモートコントロール装置は赤外線信号などにより無線通信を行うものが一般的である。また、ヘッドホンの中にも無線通信を行うワイヤレスヘッドホンが使われ始めている。このような、無線通信を行う他機器と、同期信号を送信する画像表示装置がともに使用された場合、信号が干渉することがある。信号が干渉すると、リモートコントロール装置は作動しにくくなり、又ヘッドホンの音にはノイズが入るなど、他機器の動作に支障が生じる。そこで、本発明は、同期信号によって生じる他機器への干渉を軽減することを目的とする。
【課題を解決するための手段】
【０００５】
上述の課題を解決するため、本発明は、開状態又は閉状態になる右眼用の第１シャッターと、開状態又は閉状態になる左眼用の第２シャッターと、同期信号を受信する受信部と、前記受信部が前記同期信号として第１信号を受信すると、前記第２シャッターを前記閉状態にするとともに前記第１シャッターを前記開状態にし、前記受信部が前記同期信号として第２信号を受信すると、前記第１シャッターを前記閉状態にするとともに前記第２シャッターを前記開状態にする制御部とを有する立体視用眼鏡を提供する。この立体視用眼鏡によれば、第１シャッター及び第２シャッターのうち片方のみが制御される同期信号が用いられた場合と比較して、同期信号によって生じる他機器への干渉を軽減させることができる。
【０００６】
また、別の好ましい態様において、前記制御部は、前記受信部が前記同期信号として第３信号を受信すると、前記第１シャッターを前記開状態にし、前記受信部が前記同期信号として第４信号を受信すると、前記第１シャッターを前記閉状態にし、前記受信部が前記同期信号として第５信号を受信すると、前記第２シャッターを前記開状態にし、前記受信部が前記同期信号として第６信号を受信すると、前記第２シャッターを前記閉状態にすることを特徴とする。この立体視用眼鏡によれば、第１シャッター及び第２シャッターのうち片方のみが制御される同期信号を送信する画像表示装置、又は、第１シャッター及び第２シャッターの両方が制御される同期信号を送信する画像表示装置のいずれが用いられても、作動することができる。
【０００７】
また、別の好ましい態様において、前記制御部は、前記第１信号に応じて、前記第２シャッターを前記閉状態に遷移させる動作を開始してから前記第１シャッターを前記開状態に遷移させる動作を開始するまでの遅延時間が第１時間である第１モードと、前記遅延時間が前記第１時間よりも長い第２時間である第２モードとを含む複数の動作モードの中から選択された一の動作モードで制御することを特徴とする。この立体視用眼鏡によれば、応答時間が異なる複数の画像表示装置について異なる遅延時間で第１シャッター及び第２シャッターの開閉状態を制御することができる。
【０００８】
また、別の好ましい態様において、前記遅延時間は、フレームレート毎に決められており、前記第１信号及び前記第２信号は、前記フレームレート毎に定義されていることを特徴とする。この立体視用眼鏡によれば、画像表示装置のフレームレートに応じて、遅延時間を自動的に切り替えることができる。
【０００９】
また、本発明は、開状態又は閉状態になる右眼用の第１シャッターと、開状態又は閉状態になる左眼用の第２シャッターと、同期信号を受信する受信部と、を有する立体視用眼鏡とともに用いられる画像表示装置であって、右眼用画像及び左眼用画像を時分割で表示する表示部と、前記表示部により前記右眼用画像が表示されるタイミングに応じて、前記同期信号として、前記第２シャッターを前記閉状態にするとともに前記第１シャッターを前記開状態にするための第１信号を前記立体視用眼鏡に送信し、前記表示部により前記左眼用画像が表示されるタイミングに応じて、前記同期信号として、前記第１シャッターを前記閉状態にするとともに前記第２シャッターを前記開状態にするための第２信号を前記立体視用眼鏡に送信する送信部とを有する画像表示装置を提供する。この画像表示装置によれば、第１シャッター及び第２シャッターのうち片方のみが制御される同期信号が用いられた場合と比較して、同期信号によって生じる他機器への干渉を軽減させることができる。
【００１０】
また、本発明は、画像表示装置と、立体視用眼鏡とを有し、前記画像表示装置は、右眼用画像及び左眼用画像を時分割で表示する表示部と、前記表示部により前記右眼用画像が表示されるタイミングに応じて、同期信号として第１信号を前記立体視用眼鏡に送信し、前記表示部により前記左眼用画像が表示されるタイミングに応じて、前記同期信号として第２信号を前記立体視用眼鏡に送信する送信部とを有し、前記立体視用眼鏡は、開状態又は閉状態になる右眼用の第１シャッターと、開状態又は閉状態になる左眼用の第２シャッターと、前記同期信号を受信する受信部と、前記受信部が前記同期信号として第１信号を受信すると、前記第２シャッターを前記閉状態にするとともに前記第１シャッターを前記開状態にし、前記受信部が前記同期信号として第２信号を受信すると、前記第１シャッターを前記閉状態にするとともに前記第２シャッターを前記開状態にする制御部とを有する画像表示システムを提供する。この画像表示システムによれば、第１シャッター及び第２シャッターのうち片方のみが制御される同期信号が用いられた場合と比較して、同期信号によって生じる他機器への干渉を軽減させることができる。
【００１１】
また、本発明は、画像表示装置が、右眼用画像及び左眼用画像を時分割で表示する工程と、前記画像表示装置が、前記右眼用画像を表示するタイミングに応じて、同期信号として第１信号を立体視用眼鏡に送信し、前記左眼用画像を表示するタイミングに応じて、前記同期信号として第２信号を前記立体視用眼鏡に送信する工程と、前記立体視用眼鏡が、前記同期信号を受信する工程と、前記立体視用眼鏡が前記同期信号として前記第１信号を受信すると、第２シャッターを閉状態にするとともに第１シャッターを開状態にし、前記立体視用眼鏡が前記同期信号として前記第２信号を受信すると、前記第１シャッターを閉状態にするとともに前記第２シャッターを開状態にする工程とを有する制御方法を提供する。この制御方法によれば、第１シャッター及び第２シャッターのうち片方のみが制御される同期信号が用いられた場合と比較して、同期信号によって生じる他機器への干渉を軽減させることができる。
【図面の簡単な説明】
【００１２】
【図１】画像表示システム１の全体構成を示す図。
【図２】プロジェクター１０の機能的構成を示すブロック図。
【図３】プロジェクター１０のハードウェア構成を示すブロック図。
【図４】眼鏡２０の機能的構成を示すブロック図。
【図５】眼鏡２０のハードウェア構成を示すブロック図。
【図６】眼鏡２０の概観図。
【図７】シャッター同期信号の波形の一例を示す図。
【図８】シャッターの動作を例示する図。
【図９】眼鏡２０の動作を示すフローチャート。
【図１０】液晶シャッター２０６の動作例を示すタイミングチャート。
【発明を実施するための形態】
【００１３】
図１は、本発明の一実施形態に係る画像表示システム１の全体構成を示す図である。画像表示システム１は、プロジェクター１０、眼鏡２０及びスクリーンＳＣを有する。プロジェクター１０（画像表示装置の一例）は、入力された映像信号に応じた画像をスクリーンに投射する装置である。この例で、映像信号が示す映像は、右眼用の画像（以下、「右眼用画像」という。）と左眼用の画像（以下、「左眼用画像」という。）とが時分割で交互に現れる映像である。スクリーンＳＣは、プロジェクター１０から投射される画像を映し出す平面である。眼鏡２０は、右眼用画像及び左眼用画像を、それぞれ右眼及び左眼に独立して視覚させるための立体視用眼鏡である。
【００１４】
図２は、プロジェクター１０の機能的構成を示すブロック図である。プロジェクター１０は、映像取得部１１、画像表示部１２、及び同期信号送信部１３を有する。映像取得部１１は、ＤＶＤ（Digital Versatile Disc）プレーヤー又はパーソナルコンピューターなどの外部装置から映像信号を取得する。画像表示部１２は、映像取得部１１が取得した映像信号に含まれる右眼用画像及び左眼用画像を時分割で表示する。同期信号送信部１３は、画像表示部１２により右眼用画像が表示されるタイミングに応じて、シャッター同期信号として第１信号を眼鏡２０に送信し、画像表示部１２により左眼用画像が表示されるタイミングに応じて、シャッター同期信号として第２信号を眼鏡２０に送信する。
【００１５】
図３は、プロジェクター１０のハードウェア構成を示すブロック図である。プロジェクター１０は、ＭＣＵ（Micro Control Unit）１０１、ＲＡＭ（Random Access Memory）１０２、ＲＯＭ（Read Only Memory）１０３、映像信号レシーバー１０４、フレームレート変換回路１０５、パネル駆動回路１０６、液晶パネル１０７、光源１０８、投射光学系１０９、同期信号生成回路１１０、ＬＥＤ（Light Emitting Diode）駆動回路１１１、及びＬＥＤ１１２を有する。ＭＣＵ１０１は、プログラムを実行することによりプロジェクター１０の各部を制御する制御装置である。ＲＡＭ１０２は、データを記憶する揮発性の記憶装置である。ＲＯＭ１０３は、各種のプログラム及びデータを記憶した不揮発性の記憶装置である。
【００１６】
映像信号レシーバー１０４は、外部装置から映像信号を取得する。映像信号には、右眼用画像、左眼用画像、及び同期信号（水平同期信号及び垂直同期信号）が含まれている。ＭＣＵ１０１は、映像信号レシーバー１０４が取得した映像信号を、１フレームごとの右眼用画像又は左眼用画像としてＲＡＭ１０２に記憶する。フレームレート変換回路１０５は、１秒間における右眼用画像及び左眼用画像の表示切り替え回数が、プロジェクター１０のフレームレートに合うように、映像信号のフレームレートを変換する。
【００１７】
ＭＣＵ１０１は、ＲＡＭ１０２に記憶された右眼用画像及び左眼用画像を、液晶パネル１０７の解像度に合わせて拡大又は縮小する。ＭＣＵ１０１は、拡大又は縮小後の右眼用画像及び左眼用画像をＲＡＭ１０２に書き込む。パネル駆動回路１０６は、ＲＡＭ１０２から読み出した右眼用画像及び左眼用画像に基いて、液晶パネル１０７を駆動するためのパネル駆動信号を生成する。パネル駆動回路１０６は、液晶パネル１０７にパネル駆動信号を出力する。液晶パネル１０７は、マトリクス状に配置された複数の画素を有する。液晶パネル１０７は、光源１０８から放射された光の透過率を、パネル駆動信号に基いて画素毎に変調するライトバルブとして用いられる。液晶パネル１０７により変調された光は、投射光学系１０９により拡大され、スクリーンＳＣに投射される。同期信号生成回路１１０は、液晶パネル１０７に表示される画像と、眼鏡２０におけるシャッターの開閉とを同期させるためのシャッター同期信号を生成し、ＬＥＤ駆動回路１１１に出力する。ＬＥＤ駆動回路１１１は、シャッター同期信号に基いてＬＥＤ１１２を駆動するためのＬＥＤ駆動信号を生成し、ＬＥＤ１１２に出力する。ＬＥＤ１１２は、ＬＥＤ駆動信号に基いて所定の波長帯の光（例えば赤外線）を出力する。このように、シャッター同期信号は、無線通信によって眼鏡２０に送信される。
【００１８】
プロジェクター１０において、ＭＣＵ１０１により制御されている映像信号レシーバー１０４は、映像取得部１１の一例である。ＭＣＵ１０１により制御されているフレームレート変換回路１０５、パネル駆動回路１０６、液晶パネル１０７、光源１０８、及び投射光学系１０９は、画像表示部１２の一例である。ＭＣＵ１０１により制御されている同期信号生成回路１１０、ＬＥＤ駆動回路１１１、及びＬＥＤ１１２は、同期信号送信部１３の一例である。
【００１９】
図４は、眼鏡２０の機能的構成を示すブロック図である。眼鏡２０は、同期信号受信部２１、制御部２２、及びシャッター２３を有する。同期信号受信部２１は、プロジェクター１０により送信されたシャッター同期信号を受信する。シャッター同期信号には、６種類の同期信号が用いられる。制御部２２は、同期信号受信部２１がシャッター同期信号を受信すると、シャッター２３の開閉状態を制御する。シャッター２３は、右眼用のシャッター２３Ｒ（第１シャッターの一例）及び左眼用のシャッター２３Ｌ（第２シャッターの一例）を有する。シャッター２３Ｒ及びシャッター２３Ｌは、開状態又は閉状態になる。同期信号受信部２１が、シャッター同期信号として第１信号を受信すると、制御部２２は、シャッター２３Ｌを閉状態にするとともにシャッター２３Ｒを開状態にする。同期信号受信部２１が、シャッター同期信号として第２信号を受信すると、制御部２２は、シャッター２３Ｒを閉状態にするとともにシャッター２３Ｌを開状態にする。同期信号受信部２１が、シャッター同期信号として第３信号を受信すると、制御部２２は、シャッター２３Ｒを開状態にする一方で、シャッター２３Ｌの状態は維持する（変更しない）。同期信号受信部２１が、シャッター同期信号として第４信号を受信すると、制御部２２は、シャッター２３Ｒを閉状態に制御する一方で、シャッター２３Ｌの状態は維持する（変更しない）。同期信号受信部２１が、シャッター同期信号として第５信号を受信すると、制御部２２は、シャッター２３Ｌを開状態に制御する一方で、シャッター２３Ｒの状態は維持する（変更しない）。同期信号受信部２１が、シャッター同期信号として第６信号を受信すると、制御部２２は、シャッター２３Ｌを閉状態にする一方で、シャッター２３Ｒの状態は維持する（変更しない）。
【００２０】
図５は、眼鏡２０のハードウェア構成を示すブロック図である。眼鏡２０は、ＣＰＵ２０１、ＲＡＭ２０２、ＲＯＭ２０３、赤外線センサー２０４、シャッター制御回路２０５、及び液晶シャッター２０６を有する。ＣＰＵ２０１は、プログラムを実行することにより眼鏡２０の各部を制御する制御装置である。ＲＡＭ２０２は、データを記憶する揮発性の記憶装置である。ＲＯＭ２０３は、各種のプログラム及びデータを記憶した不揮発性の記憶装置である。ＲＯＭ２０３は、シャッター同期信号からシャッター制御信号を生成するためのプロトコルを記憶する。「プロトコル」とは、液晶シャッター２０６の動作を示す情報をいう。プロトコルはまた、特定のシャッター同期信号と、このシャッター同期信号に対応した液晶シャッター２０６の動作との対応関係を示す情報を含む。赤外線センサー２０４は、プロジェクター１０から出力された光を受光し、受光した光の強度に応じた信号を出力する。この信号はシャッター同期信号である。ＣＰＵ２０１は、シャッター同期信号が含む信号の内容を解析する。ＣＰＵ２０１は、シャッター同期信号の解析結果に対応するプロトコルをＲＯＭ２０３から読み出し、シャッター制御回路２０５に出力する。シャッター制御回路２０５は、ＣＰＵ２０１から取得したプロトコルに基いて、液晶シャッター２０６を制御するためのシャッター制御信号を生成する。シャッター制御回路２０５は、シャッター制御信号を液晶シャッター２０６に出力する。液晶シャッター２０６は、右眼用の液晶シャッター２０６Ｒ及び左眼用の液晶シャッター２０６Ｌを有する。液晶シャッター２０６は、シャッター制御信号により開状態と閉状態とが切り替わる。「開状態」とは、透過率が所定のしきい値（例えば９０％）以上の状態をいう。「閉状態」とは、透過率が所定のしきい値（例えば１０％）以下の状態をいう。プロジェクター１０が右眼用画像を投射するタイミングで、眼鏡２０の液晶シャッター２０６Ｒを開状態にし、液晶シャッター２０６Ｌを閉状態にすれば、右眼用画像が右眼のみに知覚される。プロジェクター１０が左眼用画像を投射するタイミングで、眼鏡２０の液晶シャッター２０６Ｌを開状態にし、液晶シャッター２０６Ｒを閉状態にすれば、左眼用画像は左眼のみに知覚される。右眼用画像及び左眼用画像が、右眼及び左眼によってそれぞれ独立して知覚されることにより、スクリーンＳＣに映し出された画像は立体的に見える。
【００２１】
眼鏡２０において、ＣＰＵ２０１により制御されている赤外線センサー２０４は、同期信号受信部２１の一例である。ＣＰＵ２０１及びＣＰＵ２０１により制御されているシャッター制御回路２０５は、制御部２２の一例である。液晶シャッター２０６は、シャッター２３の一例である。
【００２２】
図６は、眼鏡２０の概観を示す図である。眼鏡２０は、フレームを有しており、視力矯正用の眼鏡のレンズに相当する部分に液晶シャッター２０６が設けられている。液晶シャッター２０６Ｒ及び液晶シャッター２０６Ｌは、シャッター同期信号に応じて開閉する。赤外線センサー２０４は、フレームにおいて液晶シャッター２０６と同じ面に設けられている。
【００２３】
図７は、ＬＥＤ１１２から出力されるシャッター同期信号の波形の一例を示す図である。図７において、横軸は時間を、縦軸は光強度を表す。この例で、シャッター同期信号は、液晶シャッター２０６の動作のタイミングを示す。シャッター同期信号は、５ビットの情報から構成されている。第１ビット及び第５ビットは、それぞれシャッター同期信号の始点と終点を示す。第２〜第４ビットの３ビットの情報（図７のＣで表された部分）は、液晶シャッター２０６の動作の識別番号を示す。３ビットの情報を用いれば、８種類の動作を識別することが可能であるが、この例では、６種類の識別子が用いられる（すなわち６種類の動作が定義されている）。図７の例では、シャッター同期信号は、識別子「１００」を示している。
【００２４】
図８は、シャッターの動作を例示する図である。この図で、シャッター同期信号は四角形で表されている。この四角形に記載された数字は、シャッター同期信号により示される識別子を１０進数で表したものである。図８において、横軸は時間を示す。「Ｌ」は、液晶シャッター２０６Ｌの開閉状態（透過率）を、「Ｒ」は、液晶シャッター２０６Ｒの開閉状態（透過率）を表す。液晶シャッター２０６の動作について、「Ｏ」は開状態（透過状態）であることを、「Ｃ」は閉状態（非透過状態）であることを示している。シャッター同期信号が識別番号「１」（第１信号の一例）を示している場合、シャッター制御回路２０５は、液晶シャッター２０６に第１動作をさせるためのシャッター制御信号を、液晶シャッター２０６に出力する。第１動作は、液晶シャッター２０６Ｌが閉状態への遷移を開始してから遅延時間Ｔｄが経過した後に、液晶シャッター２０６Ｒが開状態への遷移を開始する動作である。シャッター同期信号が識別番号「２」（第２信号の一例）を示している場合、シャッター制御回路２０５は、液晶シャッター２０６に第２動作をさせるためのシャッター制御信号を、液晶シャッター２０６に出力する。第２動作は、液晶シャッター２０６Ｒが閉状態への遷移を開始してから遅延時間Ｔｄが経過した後に、液晶シャッター２０６Ｌが開状態への遷移を開始する動作である。このように、識別番号「１」又は「２」を示すシャッター同期信号は、液晶シャッター２０６Ｒ及び液晶シャッター２０６Ｌの両方の開閉状態を制御するための信号である。
【００２５】
シャッター同期信号が識別番号「３」（第３信号の一例）を示している場合、シャッター制御回路２０５は、液晶シャッター２０６に第３動作をさせるためのシャッター制御信号を、液晶シャッター２０６に出力する。第３動作は、液晶シャッター２０６Ｒが開状態への遷移を開始する動作である。シャッター同期信号が識別番号「４」（第４信号の一例）を示している場合、シャッター制御回路２０５は、液晶シャッター２０６に第４動作をさせるためのシャッター制御信号を、液晶シャッター２０６に出力する。第４動作は、液晶シャッター２０６Ｒが閉状態への遷移を開始する動作である。シャッター同期信号が識別番号「５」（第５信号の一例）を示している場合、シャッター制御回路２０５は、液晶シャッター２０６に第５動作をさせるためのシャッター制御信号を、液晶シャッター２０６に出力する。第５動作は、液晶シャッター２０６Ｌが開状態への遷移を開始する動作である。シャッター同期信号が識別番号「６」（第６信号の一例）を示している場合、シャッター制御回路２０５は、液晶シャッター２０６に第６動作をさせるためのシャッター制御信号を、液晶シャッター２０６に出力する。第６動作は、液晶シャッター２０６Ｌが閉状態への遷移を開始する動作である。このように、識別番号「３」〜「６」を示すシャッター同期信号は、液晶シャッター２０６Ｒ又は液晶シャッター２０６Ｌのいずれか一方のみの開閉状態を制御するための信号である。
【００２６】
図９は、眼鏡２０の動作を示すフローチャートである。図９では、一のシャッター同期信号に応じて、液晶シャッター２０６の開閉が行われる処理を示している。ステップＳ１において、赤外線センサー２０４は、プロジェクター１０から出力された光を受光する。ステップＳ２において、ＣＰＵ２０１は、シャッター同期信号を解析する。ＣＰＵ２０１は、シャッター同期信号が示す識別番号に対応するプロトコルをＲＯＭ２０３から読み出し、シャッター制御回路２０５に出力する。シャッター制御回路２０５は、プロトコルに対応するシャッター制御信号を液晶シャッター２０６に出力する（ステップＳ３〜Ｓ８）。液晶シャッター２０６は、シャッター制御信号に応じて第１〜６動作を行う。眼鏡２０は、プロジェクター１０から赤外線を受光する度に、上述の処理を繰り返す。
【００２７】
図１０は、液晶シャッター２０６の動作例を示すタイミングチャートである。図１０は、液晶シャッター２０６Ｒと２０６Ｌとを交互に開閉する共通の動作について、識別番号「１」及び「２」を示すシャッター同期信号を用いた例（図のＳＨ１）と、識別番号「３」から「６」を示すシャッター同期信号を用いた例（識別番号「１」及び「２」を示すシャッター同期信号を用いない例。図のＳＨ２）とを示している。図１０では、左眼用画像として白一色の画像（以下、「白画像」という。）がスクリーンＳＣに投射され、右眼用画像として黒一色の画像（以下、「黒画像」という。）が投射される例を説明する。図１０における「Ｉ」は、プロジェクター１０によりスクリーンＳＣに投射される画像の階調を表す。「Ｗ」は白を、「Ｂ」は黒を示す。図１０では、シャッター同期信号ＳＨ１及びＳＨ２は、いずれも眼鏡２０に以下の（１）〜（８）の動作をさせるための信号である（なお、この例では、左眼用画像として白画像が表示されている状態が初期状態である）。
（１）時刻ｔ１において、液晶シャッター２０６Ｌが閉状態への遷移を開始する。
（２）時刻ｔ１から遅延時間Ｔｄ経過後の時刻ｔ２において、液晶シャッター２０６Ｒが開状態への遷移を開始する。
（３）時刻ｔ３において、液晶シャッター２０６Ｒが閉状態への遷移を開始する。
（４）時刻ｔ３から遅延時間Ｔｄ経過後の時刻ｔ４において、液晶シャッター２０６Ｌが開状態への遷移を開始する。
（５）時刻ｔ５において、液晶シャッター２０６Ｌが閉状態への遷移を開始する。
（６）時刻ｔ５から遅延時間Ｔｄ経過後の時刻ｔ６において、液晶シャッター２０６Ｒが開状態への遷移を開始する。
（７）時刻ｔ７において、液晶シャッター２０６Ｒが閉状態への遷移を開始する。
（８）時刻ｔ７から遅延時間Ｔｄ経過後の時刻ｔ８において、液晶シャッター２０６Ｌが開状態への遷移を開始する。
なお、クロストークを低減するため、遅延時間Ｔｄは、プロジェクター１０の液晶パネル１０７の応答時間Ｔｒよりも長くなるように設定されている。
【００２８】
図１０の動作をさせるため、シャッター同期信号ＳＨ１を用いた場合、信号は４回送信される。一方で、シャッター同期信号ＳＨ２を用いた場合、信号は８回送信される。上述の通りリモートコントロール装置や、ワイヤレスヘッドホンなどにおいて、赤外線信号が用いられる場合、赤外線を介してシャッター同期信号を送信すると、シャッター同期信号が他の信号と干渉してしまう可能性がある。しかし、シャッター同期信号ＳＨ１を用いれば、シャッター同期信号ＳＨ２を用いた場合と比較して、赤外線信号が送信される回数が半減する。そのため、リモートコントロール装置又はワイヤレスヘッドホンなどの他機器への干渉が起こる可能性が減少する。
【００２９】
＜変形例＞
本発明は、上述の実施形態に限定されるものではなく、種々の変形実施が可能である。以下、変形例をいくつか説明する。以下で説明する変形例のうち、２つ以上のものが組み合わされて用いられても良い。
【００３０】
（１）遅延時間は、固定ではなく可変であってもよい。例えば、眼鏡２０は、遅延時間がＴｄ１（第１時間の一例）である第１モードと、遅延時間がＴｄ１よりも長いＴｄ２（第２時間の一例）である第２モードとから選択された一の動作モードで動作してもよい。動作モードは、画像表示装置における応答時間Ｔｒに応じて選択される。動作モードの選択は、利用者の指示により行われてもよい。この場合、例えば、眼鏡２０にスイッチが設けられている。利用者がこのスイッチを操作することにより、動作モードが選択される。別の例として、動作モードは自動的に選択されてもよい。この場合、例えば、プロジェクター１０から出力されるシャッター同期信号に動作モードを示す情報が含まれている。眼鏡２０のＣＰＵ２０１は、この情報に基づいて動作モードを選択する。なお、動作モードは二つに限られない。
【００３１】
（２）遅延時間Ｔｄは、０であってもよい。この場合、液晶シャッター２０６Ｒと液晶シャッター２０６Ｌは同時に開閉状態が切り替わる。遅延時間Ｔｄが０である場合、応答時間Ｔｒは、０でなくても良いが、０であることが好ましい。
【００３２】
（３）眼鏡２０の動作は、プロジェクター１０のフレームレート毎に定義されていてもよい。例えば、フレームレート１９２Ｈｚで動作するプロジェクターと、フレームレート２４０Ｈｚで動作するプロジェクターとがある場合、フレームレート１９２Ｈｚの場合と２４０Ｈｚの場合とのそれぞれについて、第１〜第６動作が定義されていてもよい。この場合、シャッター同期信号は６ビットの情報から構成される。第２〜第５ビットの４ビットの情報を用いれば、フレームレート１９２Ｈｚの場合と２４０Ｈｚの場合とのそれぞれについて、第１〜第６動作を識別すること（計１２種類の動作を定義すること）が可能である。識別番号「１」〜「６」をフレームレート１９２Ｈｚの第１〜第６動作に割り当て、識別番号「７」〜「１２」をフレームレート２４０Ｈｚの第１〜第６動作に割り当ててもよい。フレームレート１９２Ｈｚで動作するプロジェクターは、識別番号「１」〜「６」を示す信号を出力し、フレームレート２４０Ｈｚで動作するプロジェクターは、識別番号「７」〜「１２」を示す信号を出力する。
【００３３】
（４）画像表示装置は、プロジェクター１０に限定されない。画像表示装置は、投射型の装置に限られず、液晶ディスプレイ又はプラズマディプレイなど、直視型の画像表示装置であっても良い。
【００３４】
（５）開状態又は閉状態は、液晶シャッター２０６の透過率で定義されるものに限定されない。例えば、開状態及び閉状態は、液晶シャッター２０６の偏光方向によって定義されてもよい。例えば、偏光方向が第１方向となる状態を開状態、偏光方向が第１方向と直交する第２方向となる状態を閉状態と定義してもよい。この場合、液晶シャッター２０６は、電気信号により偏光方向が切り替わる構成を有する。
【００３５】
（６）第１シャッター及び第２シャッターは、液晶シャッター２０６に限定されない。例えば、第１シャッター及び第２シャッターとして、機械式のシャッターが用いられてもよい。
【００３６】
（７）シャッター同期信号の波形は図７に示したものに限定されない。例えば、シャッター同期信号の終点を示す第５ビットは省略されてもよい。
【符号の説明】
【００３７】
１…画像表示システム、１０…プロジェクター、２０…眼鏡、１１…映像取得部、１２…画像表示部、１３…同期信号送信部、２１…同期信号受信部、２２…制御部、２３…シャッター、１０１…ＭＣＵ、１０２…ＲＡＭ、１０３…ＲＯＭ、１０４…映像信号レシーバー、１０５…フレームレート変換回路、１０６…パネル駆動回路、１０７…液晶パネル、１０８…光源、１０９…投射光学系、１１０…同期信号生成回路、１１１…ＬＥＤ駆動回路、１１２…ＬＥＤ、２０１…ＣＰＵ、２０２…ＲＡＭ、２０３…ＲＯＭ、２０４…赤外線センサー、２０５…シャッター制御回路、２０６…液晶シャッター
【図１】
2013070314.tif 000003
【図２】
2013070314.tif 000004
【図３】
2013070314.tif 000005
【図４】
2013070314.tif 000006
【図５】
2013070314.tif 000007
【図６】
2013070314.tif 000008
【図７】
2013070314.tif 000009
【図８】
2013070314.tif 000010
【図９】
2013070314.tif 000011
【図１０】
2013070314.tif 000012